(57)【要約】  本発明に係る収納用ポケット構造は、衣類（１）に設けられたポケット（２）において、ポケット（２）の内面のうち衣類（１）側のポケット内面生地（３）に面ファスナーの鍵状部生地と、対向するポケット外装生地（５）側のポケット内面生地（４）に面ファスナーのパイル生地とを備えている。ポケット（２）に収納物（６）が収納されたときに収納物（６）の周囲で鍵状部生地とパイル生地とが噛合して面ファスナー噛合領域（７）を形成し収納物（６）の動きを規制することを特徴とする。
2018179156.tif 000002
【特許請求の範囲】
【請求項１】
収納用ポケットの内面の一方に面ファスナーの鍵状部生地と、  対向する他方の内面に面ファスナーのパイル生地とを備え、  収納物が収納されたときに当該収納物の周囲で前記鍵状部生地とパイル生地とが噛合して当該収納物の動きを規制する  ことを特徴とする収納用ポケットの構造。
【請求項２】
前記鍵状部生地および前記パイル生地は、  収納用ポケットの内面の全面に配されている  ことを特徴とする請求の範囲第１項記載の収納用ポケットの構造。
【請求項３】
前記鍵状部生地および前記パイル生地は、極細繊維で構成されている  ことを特徴とする請求の範囲第１項記載の収納用ポケットの構造。 
【発明の詳細な説明】
【技術分野】
【０００１】  本発明は、衣類や鞄などの収納用ポケットの構造に関し、特に鍵や小銭など手で把持できる程度の大きさの小物を収納するためのポケットの構造に関する。
【背景技術】
【０００２】  ランニングなどのスポーツをするときに、スポーツウェア等の衣類のポケットに鍵や小銭などを入れたままであると、体の振動に対して、収納物がポケットの中で揺れ動くため体の動きに追随せず、違和感を生じさせることがある。その違和感によってスポーツに集中できないことを避けるために、ポケットには何もいれずにスポーツをする人もいる。しかしながら、常にポケットに何もいれずにスポーツができるとは限らない。例えば、郊外のランニングコースにてランニングする状況のように車で出かけた場合など、車のカギを所持して走らなければならないような場合もある。そのようなとき、上記した違和感を生じさせないようにすべく、中側に収納用のポケットを設けた帽子（例えば、特許文献１参照。）や、収納用のポケットを設けた靴（例えば、特許文献２参照。）などが提案されている。その他、肩の上に装着して使用する着脱可能な簡易固定式肩載小鞄なども提案されている（例えば、特許文献３参照。）。
【先行技術文献】
【特許文献】
【０００３】
【特許文献１】特表２０００−５０２７６０号公報
【特許文献２】実開昭５６−１６２００９号公報
【特許文献３】実用新案登録第３１７３７６９号公報
【発明の概要】
【発明が解決しようとする課題】
【０００４】  しかしながら、上記特許文献１の帽子や特許文献２の靴では厚みのあるものを収納できないという問題がある。車の鍵も以前は平らで薄いもので、ポケットに入れて運動しても違和感や痛みを感じさせることは少なかったが、現在では、キーレスエントリーが主流となり、鍵も箱型になって厚みのあるものが増えている。また、靴のポケットに鍵を入れた場合には、鍵は曲がらないため、屈曲する足の動きに追随できずに、違和感を生じさせてしまうことがあり、長時間使用すると、鍵の当たる部分に痛みを覚えるという問題もある。さらに、上記特許文献３の衣服の肩に取り付けるタイプの鞄では、鞄の中で、鍵などの小物類が移動し、やはり違和感を生じさせるという問題がある。【０００５】  本発明は、上記のような問題点に鑑み開発されたもので、トレーニングウェア等のポケットに入れても鍵などの小物が揺れ動くことがなく、ランニングなどスポーツ時の意識の集中を邪魔するような違和感を生じさせることのない収納用ポケット構造を提供することを目的とする。
【課題を解決するための手段】
【０００６】  上記の課題を解決し、その目的を達成するために、本発明に係る収納用ポケット構造は、収納用ポケットの内面の一方に面ファスナーの鍵状部生地と、対向する他方の内面に面ファスナーのパイル生地とを備え、収納物が収納されたときに当該収納物の周囲で前記鍵状部生地とパイル生地とが噛合して当該収納物の動きを規制することを特徴とする。【０００７】  これにより、収納物である鍵などの小物の周りは、鍵状部とパイル生地とが噛合して収納物が移動できる空間がなくなり収納物の動きが規制されるので収納物が固定され、集中力を阻害するような違和感を生じさせることのない収納用ポケット構造が実現される。【０００８】  ここで、前記鍵状部生地および前記パイル生地は、収納用ポケットの内面の全面に配されているのが好ましい。【０００９】  これによれば、鍵や小銭など手で把持できる程度の大きさの小物であれば、収納物のサイズを問わずに収納して動きを規制することができる。【００１０】  さらに、前記鍵状部生地および前記パイル生地は、極細繊維で構成されているのがより好ましい。【００１１】  これによれば、手触りを良くして肌を傷つける恐れがないため、衣類の収納用ポケット構造として好適なものが得られる。
【発明の効果】
【００１２】  以上説明したように、本発明に係る収納用ポケット構造は、面ファスナーをポケット収納部の内面に使用して、収納物である鍵などの小物の周りを鍵状部とパイル生地とが噛合して収納物の動きを規制するので、収納物が固定され、着用者の動きに対して、収納物がポケットの中で移動することがなく、着用者に違和感を与えることのない収納用ポケット構造が実現可能となる。
【図面の簡単な説明】
【００１３】
【図１】収納用ポケット構造を備えた衣類の正面図である。
【図２】ポケット内面生地を示す図である。
【図３】図１のＡ−Ａ線断面図である。
【図４】収納物を入れた状態のＡ−Ａ線断面図である。
【図５】ポケット内面生地の他の例を示す図である。
【図６】ポケット内面生地の他の例を示す図である。
【図７】ポケット内面生地の他の例を示す図である。
【発明を実施するための形態】
【００１４】  以下、本発明を実施するための形態について説明する。
【００１５】  図１は、収納用ポケット構造を備えた衣類の正面図である。本発明の収納用ポケット構造を備えた衣類１は、例えばスポーツウェアであり、鍵や小銭など手で把持できる程度の大きさの小物を収納するためのポケット２を備えている。
【００１６】  図２は、ポケット内面生地を示す図である。ポケット２の内部は、ポケット内面生地３とポケット内面生地４とで構成されている。ポケット内面生地３は面ファスナーの鍵状部が全面に配されており、ポケット内面生地４は面ファスナーのパイル生地が全面に配されている。ポケット内面生地３およびポケット内面生地４に用いられる面ファスナーは、極細繊維で構成されている、手触りがソフトな面ファスナーで柔らかく手を挿入しても、肌を傷つける恐れがない。具体的には、Internat Velcro CompanyのVELCRO DFL-E（登録商標）や、帝人株式会社のファスナーノ（登録商標）を用いることができる。
【００１７】  図３は、図１のＡ−Ａ線断面図である。ここでは模式的に断面を示している。ポケット内面生地３は衣類１と縫製箇所８の位置で縫着されている。ポケット内面生地４はポケット外装生地５と縫製箇所８の位置で縫着されている。ポケット内面生地３の面ファスナーの鍵状部は、ポケット内面生地４の面ファスナーのパイル生地と対向しており、お互いに噛合するように配置されている。なお、ポケット内面生地３をパイル生地とし、ポケット内面生地４を鍵状部として入れ替えてもよい。
【００１８】  図４は、収納物を入れた状態のＡ−Ａ線断面図である。ここでも模式的に断面を示している。ポケット内面生地３とポケット内面生地４との間に収納物６として鍵や小銭などの小物を入れると、収納物６のポケット内面生地３およびポケット内面生地４との接触面積以外の部分、つまり、面ファスナー噛合領域７は、ポケット内面生地３の鍵状部とポケット内面生地４のパイル生地とが絡み合って収納物６の周囲で噛合するので、収納物６を動かなくする。これにより、複数の鍵や小銭が入っていたとしても、収納物６全体が固定されるので、ぶつかり合ったときに発する不快音もないため、着用者は違和感を感じることがなく運動等に集中することができる。
【００１９】  ここでは、ポケット内面生地３およびポケット内面生地４のそれぞれ片面の全面を面ファスナーとしているが、収納物６の一部を固定するようにしても一定の効果は得られるため、面ファスナーをテープ状に分離し、一部を面ファスナーでない生地で構成してもよい。
【００２０】  例えば、図５ではポケット内面生地９を面ファスナー部３ａを縦方向に並べて配列している。図６ではポケット内面生地１０を面ファスナー部３ｂを横方向に並列させたものである。図７ではポケット内面生地１１は面ファスナー部３ｃを交差させて配したものである。
【００２１】  このように、本実施形態の収納用ポケット構造を備えた衣類では、面ファスナーをポケット収納部の内面に使用している。ポケットの内面生地の片面の生地を面ファスナーの鍵状部がある生地、これに対応する面の生地を面ファスナーのパイル生地で構成することにより、収納物である鍵などの小物類の周りは、鍵状部とパイル生地とが噛合して収納物が移動できる空間がなくなり収納物の動きが規制されるので収納物が固定される。これにより、着用者の激しい動きに対しても、収納物がポケットの中で移動することがなく、着用者に違和感を与えることがなくなる。
【００２２】  なお、使用用途は衣類、特に運動時に着用するスポーツウェアに限られず、鞄において複数の収納物同士を接触させたくないときに、簡単に一つの収納部でお互いが非接触な状態を維持することができるように応用してもよい。衣類の収納用ポケット構造には手触り重視でソフトな面ファスナーを使用するのが好ましいが、鞄などの場合は、必要に応じて、噛合力の強い面ファスナーを使用してもよい。例えば、体に密着させられる小型の鞄などの収納用ポケット構造に用いる場合には、固めの鍵状部がある面ファスナーを使用してもよい。
【００２３】  以上、本発明に係る収納用ポケット構造について実施形態に基づいて説明したが、本発明はこれに限定されるものではなく、本発明の目的を達成でき、且つ発明の要旨を逸脱しない範囲内で種々の設計変更が可能であり、それらも全て本発明の技術的範囲に包含されるものである。
【産業上の利用可能性】
【００２４】  本発明は、収納用のポケットを備えた衣類や鞄などに好適である。
【符号の説明】
【００２５】１  衣類２  ポケット３，４，４ａ，４ｂ，４ｃ，９，１０，１１  ポケット内面生地３ａ，３ｂ，３ｃ  面ファスナー部５  ポケット外装生地６  収納物７  面ファスナー噛合領域８  縫製箇所 
【図１】
2018179156.tif 000003
【図２】
2018179156.tif 000004
【図３】
2018179156.tif 000005
【図４】
2018179156.tif 000006
【図５】
2018179156.tif 000007
【図６】
2018179156.tif 000008
【図７】
2018179156.tif 000009
【国際調査報告】
2018179156.tif 000010
2018179156.tif 000011
2018179156.tif 000012
2018179156.tif 000013